(57)【要約】【課題】異なる種類の印刷物を前後して印刷する場合、次の印刷のために交換すべき刷版位置を表示すること。【解決手段】印刷頁表示装置１００において、頁割付編集処理部１０３は、印刷物毎に刷版装着位置と印刷頁、紙面ＩＤ及び刷版サイズとを関連させた頁割付詳細データを作成し、頁割付詳細記憶部１１４に保存する。刷版交換判定処理部１０５は、頁割付詳細記憶部１１４から印刷順番が前後する印刷物の頁割付詳細データを読み出し、同じ刷版装着位置での頁割付詳細データを比較して装着する刷版の交換の有無を判定する。表示部１１５は、印刷物毎に刷版装着位置と印刷頁の対応関係を表示するとともに、刷版交換判定処理部１０５での判定結果に基づき刷版装着位置毎に刷版交換の有無を表示する。【選択図】図１
2014177083.tif 000002
【特許請求の範囲】
【請求項１】
複数の刷版を版胴に装着し複数頁の印刷物を印刷する輪転印刷機に用いられる印刷頁表示装置であって、
印刷物毎に刷版装着位置と印刷頁、紙面ＩＤ及び刷版サイズとを関連させた頁割付詳細データを作成する頁割付編集処理部と、
前記頁割付編集処理部で作成された前記頁割付詳細データを保存する頁割付詳細記憶部と、
前記頁割付詳細記憶部から印刷順番が前後する印刷物の頁割付詳細データを読み出し、同じ刷版装着位置での頁割付詳細データを比較して装着する刷版の交換の有無を判定する刷版交換判定処理部と、
印刷物毎に刷版装着位置と印刷頁の対応関係を表示するとともに、前記刷版交換判定処理部での判定結果に基づき刷版装着位置毎に刷版交換の有無を表示する表示部と、
を備えたことを特徴とする印刷頁表示装置。
【請求項２】
請求項１に記載の印刷頁表示装置であって、
前記刷版交換判定処理部は、前後する印刷物間で、前記頁割付詳細データ内の印刷頁、紙面ＩＤ及び刷版サイズの少なくとも１つが異なる場合は刷版交換有りと判定し、印刷頁、紙面ＩＤ及び刷版サイズの全てが同じ場合は刷版交換無しと判定することを特徴とする印刷頁表示装置。
【請求項３】
請求項１又は２に記載の印刷頁表示装置であって、
前記表示部は、印刷順番が後行する印刷物における刷版交換の有無を、印刷頁を表示する部分の背景色を変えて表示することを特徴とする印刷頁表示装置。
【請求項４】
複数の刷版を版胴に装着し複数頁の印刷物を印刷する輪転印刷機における印刷頁表示方法であって、
印刷物毎に刷版装着位置と印刷頁、紙面ＩＤ及び刷版サイズとを関連させた頁割付詳細データを作成するステップと、
印刷順番が前後する印刷物について、同じ刷版装着位置での頁割付詳細データを比較して装着する刷版の交換の有無を判定するステップと、
印刷物毎の刷版装着位置と印刷頁の対応関係とともに、前記判定結果に基づき刷版装着位置毎に刷版交換の有無を表示部にて表示するステップと、
を備えたことを特徴とする印刷頁表示方法。
【請求項５】
請求項４に記載の印刷頁表示方法であって、
前記刷版交換の有無を判定するステップでは、前後する印刷物間で、前記頁割付詳細データ内の印刷頁、紙面ＩＤ及び刷版サイズの少なくとも１つが異なる場合は刷版交換有りと判定し、印刷頁、紙面ＩＤ及び刷版サイズの全てが同じ場合は刷版交換無しと判定することを特徴とする印刷頁表示方法。
【発明の詳細な説明】
【技術分野】
【０００１】
本発明は、複数種類の印刷物を印刷する輪転印刷機に用いられる印刷頁表示装置及び印刷頁表示方法に関するものである。
【背景技術】
【０００２】
例えば新聞用輪転印刷機では、複数の頁を同時に印刷するために、版胴の刷版装着位置と印刷物の頁を対応させた頁割付を表示する印刷頁表示装置を使用している。作業者は、印刷頁表示装置に表示された頁割付を参照し、刷版の装着位置を確認して刷版の装着作業を行っている。これに関連する技術として、例えば特許文献１では、異種の印刷物が同時に印刷される場合、印刷物を区別するために、印刷物の種類毎に頁割付を異なる指標で表わすことが記載されている。
【先行技術文献】
【特許文献】
【０００３】
【特許文献１】特開２００９−１９６２７０号公報
【発明の概要】
【発明が解決しようとする課題】
【０００４】
新聞用印刷機では、販売地域のニーズに合せて最新記事や地域向け記事など、一部内容の異なる新聞を前後して印刷する必要がある。この地域向けの記事替えのために、記事替えする頁に対応する刷版を頻繁に交換する作業が発生する。
【０００５】
刷版を交換する要因は、印刷物の構成変更だけでなく、これに伴う輪転印刷機の設備変更や、刷版サイズの変更の場合にも必要になる。印刷物の構成変更には、記事の変更、カラー頁の変更、総頁数の変更などが含まれ、輪転印刷機の設備変更には、カラー／モノクロ印刷機の変更や設備上の頁割付の変更などが含まれる。また、刷版サイズの変更は、刷版を作成する作業者側の都合で刷版のサイズが変更された場合である。
【０００６】
このように刷版交換要因は印刷機では頻繁に発生し、そのつど作業者が刷版交換位置を判断せねばならなかった。すなわち作業者は、印刷毎の頁割付を参照してどの刷版を交換すべきかを自身で判断する必要があり、これは作業者の負担を増加させるとともに、判断ミスによる誤印刷を招く恐れがあった。
【０００７】
特許文献１に記載された技術は、異種の印刷物を同時に印刷するときに輪転印刷機に装着する刷版の位置を印刷物を区別して表示するものであるが、複数種類の印刷物を前後して印刷する場合の刷版交換位置を表示するものではない。すなわち、現在の印刷で装着されている刷版のうち、次の印刷ではどの刷版を交換すべきかについては表示されない。
【０００８】
本発明は上記課題を鑑み、異なる種類の印刷物を前後して印刷する場合、次の印刷のために交換すべき刷版位置を表示する印刷頁表示装置及び印刷頁表示方法を提供することを目的とする。
【課題を解決するための手段】
【０００９】
本発明は、複数の刷版を版胴に装着し複数頁の印刷物を印刷する輪転印刷機に用いられる印刷頁表示装置であって、印刷物毎に刷版装着位置と印刷頁、紙面ＩＤ及び刷版サイズとを関連させた頁割付詳細データを作成する頁割付編集処理部と、頁割付詳細データを保存する頁割付詳細記憶部と、頁割付詳細記憶部から印刷順番が前後する印刷物の頁割付詳細データを読み出し、同じ刷版装着位置での頁割付詳細データを比較して装着する刷版の交換の有無を判定する刷版交換判定処理部と、印刷物毎に刷版装着位置と印刷頁の対応関係を表示するとともに、刷版交換判定処理部での判定結果に基づき刷版装着位置毎に刷版交換の有無を表示する表示部と、を備える。
【発明の効果】
【００１０】
本発明によれば、異なる種類の印刷物を前後して印刷する場合、次の印刷のために交換すべき刷版位置が表示されるので、作業者の負担を軽減するとともに、判断ミスによる誤印刷を防止することができる。
【図面の簡単な説明】
【００１１】
【図１】本発明の印刷頁表示装置の一実施例を示す構成図。
【図２】刷版交換位置の判定・表示方法を示すフローチャート。
【図３】刷版交換位置の表示画面の一例を示す図。
【図４】刷版交換位置の詳細表示画面の一例を示す図。
【発明を実施するための形態】
【００１２】
以下、本発明の実施形態を図面を参照しながら説明する。
図１は、本発明の印刷頁表示装置の一実施例を示す構成図である。本実施例における印刷頁表示装置１００（以下、表示装置とも略す）は、輪転印刷機にて複数種類の印刷物（例えば新聞紙面の地方版）を前後して印刷を行う場合に、印刷物（印刷順）毎に版胴の刷版装着位置と印刷物の頁を対応させた頁割付を表示するとともに、印刷物間で刷版を交換すべき位置を判定して表示する機能を有する。表示装置１００は、図示しないセンター（例えば本社システム装置）から印刷物構成データを受信し、印刷スケジュールにより印刷物構成データと頁構成データとを関連付けて頁割付データを作成する。刷版交換判定処理部１０５は、印刷物間の印刷情報を比較し、次の印刷にて刷版を交換すべき位置を判定して、頁割付データとともに刷版交換位置を表示部１１５に表示する。以下、表示装置１００の内部構成を詳細に説明する。なお、表示装置１００の各構成要素は、バスライン１１０を介してデータや制御信号の授受を行う。
【００１３】
印刷物構成受信処理部１０１は、センターで作成された印刷物（新聞）の構成データを受信する。センターのシステム装置では、記事面（紙面）の編集状況により印刷物の構成データを適宜追加、修正し、ネットワークを介し表示装置１００へ送信している。印刷物構成受信処理部１０１は、受信した印刷物構成データを印刷物の識別（名称又はコードと発行日など）単位に各頁情報（紙面ＩＤ、頁、色）を関連付けて、印刷物構成記憶部１１１へ保存する。
【００１４】
ここで頁情報の紙面ＩＤは、紙面を識別するためのユニークなＩＤとする。紙面ＩＤは、印刷物間で任意の頁の記事内容が同じ場合は同一の紙面ＩＤを用い、記事内容に変更がある場合は異なる紙面ＩＤを用いる。例えば、印刷物Ａと印刷物Ｂで第１頁のモノクロ紙面の記事が同じ場合は同一紙面ＩＤとなり、記事が異なる場合は異なる紙面ＩＤとなる。
【００１５】
頁割付構成記憶部１１２は、予め複数の頁割付パターンをテンプレートとして保存している。頁割付パターンは、刷版装着位置と刷版の頁を関連付けたものであり、使用する印刷機、印刷物の総頁、印刷物のカラー頁の配置、紙の重ね合わせ方に基づき決定される。また、頁割付パターンにもユニークなＩＤが付与されている。これより、例えば頁割付ＩＤが“００００”の頁割付パターンと指定すれば、頁、色についての刷版配置が一意に決定されることになる。
【００１６】
印刷スケジュール作成処理部１０２は、印刷物構成記憶部１１１から印刷物の頁情報を読み出し、また頁割付構成記憶部１１２から頁割付パターンを読み出して、表示部１１５へ表示する。作業者は表示部１１５の表示内容を参照し、操作入力部１０６を介して、輪転印刷機毎の印刷物、印刷物で使用する頁割付パターン、印刷順番を指定する。印刷スケジュール作成処理部１０２は、作業者により指定された輪転印刷機毎の印刷物、頁割付パターン、印刷順番をもとに印刷スケジュールデータを作成し、印刷スケジュール記憶部１１３へ保存する。
【００１７】
印刷物単位頁割付編集処理部１０３（頁割付編集処理部と略す）は、印刷スケジュール記憶部１１３から全ての印刷スケジュールデータを読み出す。そして、各印刷物と頁割付パターンが関連付けられたデータの中で頁と色が同じものが存在する場合に、印刷物データの紙面ＩＤと頁割付パターンの刷版装着位置とを関連付けて頁割付詳細データとし、印刷物単位頁割付詳細記憶部１１４（頁割付詳細記憶部と略す）に保存する。また頁割付編集処理部１０３は、印刷物の構成の変更や印刷スケジュールの変更が適宜実施されるため、定期的に編集処理を繰り返して、頁割付詳細記憶部１１４へ保存する。
【００１８】
刷版サイズ編集処理部１０４は、頁割付詳細記憶部１１４から頁割付詳細データを読み出し、表示部１１５へ表示する。作業者は表示部１１５の表示内容を参照し、操作入力部１０６を介して、印刷物頁割付の刷版装着位置の刷版サイズを設定する。刷版サイズ編集処理部１０４は、作業者により設定された刷版サイズをもとに、印刷物の頁割付パターンの刷版装着位置に刷版サイズを付加し、頁割付詳細記憶部１１４の該当する頁割付詳細データを編集して保存する。
【００１９】
刷版交換判定処理部１０５は、頁割付詳細記憶部１１４から頁割付詳細データを読み出し、輪転印刷機毎に印刷順番が前後する同じ刷版装着位置におけるデータを比較する。具体的には、現在の印刷物の紙面ＩＤ、頁数、刷版サイズなどのデータと次の印刷物の対応するデータを比較する。これらのデータが全て同じ場合には、装着すべき刷版も同一であり「刷版交換無し」と判定する。これらのデータのうち少なくとも１つが異なる場合には、装着すべき刷版は異なるため「刷版交換有り」と判定する。刷版交換判定は、輪転印刷機毎に全ての刷版装着位置について繰り返して行う。この判定結果は、表示部１１５に送り、刷版装着位置毎に刷版交換の有／無を例えば色分けして表示する。この表示例は図３，４で示す。
【００２０】
上記の各構成、機能、処理部、処理手段等は、それらの一部又は全部を、例えば集積回路で設計する等によりハードウェアで実現することができる。あるいは、上記の各構成、機能等は、プロセッサがそれぞれの機能を実現するプログラムを解釈し、実行することによりソフトウェアで実現することもできる。各機能を実現するプログラム、テーブル、ファイル等の情報は、メモリ、ハードディスク、ＳＳＤ（Solid State Drive）等の記憶装置、または、ＩＣカード、ＳＤカード、ＤＶＤ等の記録媒体に保存すれば良い。また図１では、制御線や情報線は説明上必要と考えられるものを示しており、装置上必ずしも全ての制御線や情報線を示しているとは限らない。実際には殆ど全ての構成が相互に接続されていると考えても良い。
【００２１】
図２は、本実施例における刷版交換位置の判定・表示方法を示すフローチャートである。頁割付詳細記憶部１１４には、頁割付編集処理部１０３や刷版サイズ編集処理部１０４により作成された、各印刷物の頁割付詳細データが保存されている。
【００２２】
ステップＳ２０１において、刷版交換判定処理部１０５は、頁割付詳細記憶部１１４から現在の印刷物の頁割付詳細データと次の印刷物の情報（頁割付詳細データ）を読み出す。
ステップＳ２０２において、現在の印刷物と次の印刷物の間で比較処理を行う刷版装着位置を移動する。例えば比較開始位置を版胴の左上隅位置とし、順次右方向、下方向に移動させればよい。
【００２３】
ステップＳ２０３において、現在と次の印刷物の間で同一の刷版装着位置での頁数を比較する。これは、頁割付パターン上で比較する。両者の頁数が同一であればＳ２０４へ進み、両者の頁数が異なっていればＳ２０７へ進む。
ステップＳ２０４において、現在と次の印刷物の間で同一の刷版装着位置での紙面ＩＤを比較する。これは、印刷物構成データ上で比較する。両者の紙面ＩＤが同一であればＳ２０５へ進み、両者の紙面ＩＤが異なっていればＳ２０７へ進む。
ステップＳ２０５において、現在と次の印刷物の間で同一の刷版装着位置での刷版サイズを比較する。これは、刷版装着単位で比較する。両者の刷版サイズが同一であればＳ２０６へ進み、両者の刷版サイズが異なっていればＳ２０７へ進む。
【００２４】
ステップＳ２０６において、上記比較した全てのデータが同一であるため、「刷版交換無し」と判定する。
ステップＳ２０７において、上記比較したデータのうち少なくとも１つが異なるため、「刷版交換有り」と判定する。
【００２５】
ステップＳ２０８において、全ての刷版装着位置での印刷物間の比較が終了したか否かを判定する。終了していればＳ２０９へ進み、終了していなければＳ２０２へ戻り、次の刷版装着位置での比較を繰り返す。
ステップＳ２０９において、刷版交換判定処理部１０５は刷版交換の判定結果を表示部１１５に送り、表示部１１５は刷版交換の有無を表示する。
【００２６】
図３は、本実施例における刷版交換位置の表示画面の一例を示す図である。表示画面３００では、“Ｆ１０”輪転印刷機における印刷順１と印刷順２のＰＲＩＮＴＥＲごとに装着される刷版の頁配置を、それぞれテーブル３０１，３０２示す。印刷順１の印刷物は“朝刊Ａ地方”で、使用する頁割付パターンは“０００１”である。これに続く印刷順２の印刷物は“朝刊Ｂ地方”で、使用する頁割付パターンは印刷順１と同じ“０００１”である。前後する印刷物間で刷版の装着位置が比較できるように、２つのテーブルを連続して表示している。
【００２７】
このとき、印刷順２のテーブル３０２では、印刷順１で装着した刷版に対し刷版交換の有無を合わせて表示している。この例では、印刷順２の各ＰＲＩＮＴＥＲで頁を表示している部分の背景色を切り替え、背景色が斜線表示の部分３０３は、印刷順１から装着する刷版が変わらないことを意味し、背景色が白表示の部分３０４は、装着する刷版が異なることを意味する。
【００２８】
例えば印刷順２において、“ＰＲＩＮＴＥＲ０２”の頁“１”，“３”，“３２”と、“ＰＲＩＮＴＥＲ０３”の頁“２１”，“２２”の部分は印刷順１と刷版が異なる部分であり、他の頁は同じ刷版の部分であることを示す。作業者はテーブル３０２を参照し、背景色が白表示の部分３０４の刷版を交換すれば良い。この画面で詳細ボタン３０５を押下すると、各ＰＲＩＮＴＥＲ内の詳細な刷版装着位置の表示に切り替わる。
【００２９】
図４は、本実施例における刷版交換位置の詳細表示画面の一例を示す図である。表示画面４００では、“Ｆ１０”輪転印刷機内の“ＰＲＩＮＴＥＲ０２”を選択し、これに装着される刷版の頁配置を示す。ＰＲＩＮＴＥＲ内は、例えばカラー印刷のため複数の版胴（左右にＣ，Ｍ，Ｙ，Ｐ胴）を有するため、全てを一度で確認できるように版胴を展開した表示形式としている。印刷順１と印刷順２の頁配置をそれぞれテーブル４０１，４０２示す。
【００３０】
この表示でも、印刷順２のテーブル４０２では、印刷順１で装着した刷版に対し刷版交換の有無を合わせて表示している。背景色が斜線表示の部分４０３は、印刷順１から装着する刷版が変わらないことを意味し、背景色が白表示の部分４０４は、装着する刷版が異なることを意味する。作業者はテーブル４０２を参照し、背景色が白表示の部分４０４の刷版を交換すれば良い。
【００３１】
本実施例によれば、異なる種類の印刷物を前後して印刷する場合、次の印刷のために交換すべき刷版位置が表示されるので、作業者の負担を軽減するとともに、判断ミスによる誤印刷を防止することができる。
【００３２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００３３】
１００：印刷頁表示装置、
１０１：印刷物構成受信処理部、
１０２：印刷スケジュール作成処理部、
１０３：印刷物単位頁割付編集処理部（頁割付編集処理部）、
１０４：刷版サイズ編集処理部、
１０５：刷版交換判定処理部、
１０６：操作入力部、
１１１：印刷物構成記憶部、
１１２：頁割付構成記憶部、
１１３：印刷スケジュール記憶部、
１１４：印刷物単位頁割付詳細記憶部（頁割付詳細記憶部）、
１１５：表示部、
３００：表示画面（印刷機別）、
４００：表示画面（プリンタ別）。
【図１】
2014177083.tif 000003
【図２】
2014177083.tif 000004
【図３】
2014177083.tif 000005
【図４】
2014177083.tif 000006